(57)【要約】【課題】補助具によって余分な操作を無くして操作性を高めることができ、書類の抜き差し作業も円滑に行うこと。【解決手段】ベース部２１と、ベース部に設けられ、紙葉類Ｓを綴じ込む閉リング姿勢と紙葉類を綴じ入れるために閉リングの一部を開放する開リング姿勢に変化し得るリング３０と、ベース部に設けられ、閉リング姿勢と開リング姿勢とを切り替えるための切替機構４０と、ベース部に着脱可能に装着される補助具９とを備える。リング３０は先端どうしの接触により閉リング姿勢となり、先端どうしの離間により開リング姿勢となる第１リング部材３ａ及び第２リング部材３ｂを有し、それら第１リング部材及び第２リング部材の何れか一方の先端に挿入口３ｃが形成され、補助具９は挿入口に対して一端側から挿入可能なロッド部分９１と、そのロッド部分の他端側に設けられた紙葉類抜け止め部９２とを有する。【選択図】図１
2007245455.tif 000002
【特許請求の範囲】
【請求項１】
ベース部と、
前記ベース部に設けられ、紙葉類を綴じ込む閉リング姿勢と紙葉類を綴じ入れるために閉リングの一部を開放する開リング姿勢に変化し得るリングと、
前記ベース部に設けられ、前記閉リング姿勢と開リング姿勢とを切り替えるための切替機構と、
前記ベース部に着脱可能に装着される補助具とを備え、
前記リングは、先端どうしの接触により閉リング姿勢となり、先端どうしの離間により開リング姿勢となる第１リング部材及び第２リング部材を有し、それら第１リング部材及び第２リング部材の何れか一方の先端に挿入口が形成され、
前記補助具は、前記挿入口に対して一端側から挿入可能なロッド部分と、そのロッド部分の他端側に設けられた紙葉類抜け止め部とを有している、綴じ具。
【請求項２】
前記リングは、前記ベース部の長手方向に間隔をおいて一対配置され、前記補助具は、前記各挿入口にそれぞれ挿入可能なロッド部分を一対備え、各ロッド部分の他端側がロッド連結部により連結されてコ形状に形成されている、請求項１に記載の綴じ具。
【請求項３】
前記ベース部は平面ほぼ矩形のベース本体と、そのベース本体を固定する固定プレートとを有し、その固定プレートとベース本体との間に、前記補助具の装着部が設けられている、請求項１又は２に記載の綴じ具。
【請求項４】
請求項１〜請求項３の何れかに記載の綴じ具を表紙体の裏表紙の内面側に装備したファイリング用具。
【発明の詳細な説明】
【技術分野】
【０００１】
本発明は、綴じ穴付きの書類やシート等の紙葉類を綴じ込むための綴じ具及びそれを備えたファイリング用具の技術に関する。
【背景技術】
【０００２】
ファイリング用具の表紙体の内面には、複数のリング部材を備えた綴じ具が固定されている。この綴じ具として、レバー操作によってリングを開く、レバーアーチ式綴じ具が従来から広く知られている。
【０００３】
このレバーアーチ式綴じ具としては、例えば特許文献１に記載されている。同文献に記載の綴じ具は、金属板からなる帯板状のベース部と、このベース部に設けられた一対のリング部材で構成される二つのリングと、各リングを閉リング姿勢と開リング姿勢に変化させる操作レバー付きの開閉機構とを備えている。二つのリングを構成する各リング部材のうち、片側のリング部材はベース部に対して回動可能に構成されていて、操作レバーを押し下げる操作によってリングを開閉させることができる。
【特許文献１】実開昭５７−２４０７７号公報
【発明の開示】
【発明が解決しようとする課題】
【０００４】
この特許文献１に記載のように、片側のリング部材をベース部に対して回動可能に構成したものでは、リングの開度が小さく、しかもその開放部分が片側に限られ、かつ、操作レバーが開状態においてリング近傍に突出するため書類等を綴じたり取り出したりする際の作業性が悪い。
【０００５】
即ち、レバーアーチ式綴じ具は、書類を抜き差しする際に、リングを構成する左右のリング部材の何れにも書類を一定量まとめて保持させておくことができる機能を備えているものの、この機能を十分に発揮させるための操作性や作業性が悪いという欠点がある。
【０００６】
特に、二つのリングを開リング姿勢にしたときの操作レバーが、片側のリング部材へ接近した状態になって邪魔になるために、片側のリング部材への書類の移動作業を円滑に行えないという欠点がある。そのため、書類を抜き差しする度に、操作レバーによってリングを開閉する操作を繰り返し行う必要があった。
【０００７】
また、この種の綴じ具では、書類を一定量まとめて抜き差しするときに、抜き出した書類の綴じ穴が位置ずれすることが多々あるため、綴じ穴の位置合わせ作業に手間がかかる不便さもある。
【０００８】
よって、本発明の課題は、補助具の機能を必要時にのみ発揮できるように構成することで、余分な操作を無くして操作性を高めることができると共に、書類の抜き差し作業も円滑に行うことができ、さらに、補助具をベース部に着脱可能に装着することで、補助具の紛失防止を図ることができる綴じ具及びそれを備えたファイリング用具の技術を提供することにある。
【課題を解決するための手段】
【０００９】
前記課題を解決するため、本発明では以下の手段を採用した。
本発明の綴じ具は、ベース部と、前記ベース部に設けられ、紙葉類を綴じ込む閉リング姿勢と紙葉類を綴じ入れるために閉リングの一部を開放する開リング姿勢に変化し得るリ
ングと、前記ベース部に設けられ、前記閉リング姿勢と開リング姿勢とを切り替えるための切替機構と、前記ベース部に着脱可能に装着される補助具とを備え、
前記リングは、先端どうしの接触により閉リング姿勢となり、先端どうしの離間により開リング姿勢となる第１リング部材及び第２リング部材を有し、それら第１リング部材及び第２リング部材の何れか一方の先端に挿入口が形成され、
前記補助具は、前記挿入口に対して一端側から挿入可能なロッド部分と、そのロッド部分の他端側に設けられた紙葉類抜け止め部とを有している。
【００１０】
本発明の綴じ具によれば、補助具はリング部材の挿入口に対して挿入可能なロッド部分と、紙葉類抜け止め部とを有している。従って、例えば重ねられた紙葉類の中間部分で紙葉類を抜き差しする場合、切替機構を操作して開リング姿勢とした後、補助具を利用して、そのロッド部分の一端をリング部材の挿入口に挿入すれば、ロッド部分がリング部材に接続された形態となるので、このロッド部分にも紙葉類を移動させておくことが可能になる。ロッド部分の他端には紙葉類抜け止め部があるので、紙葉類が抜け落ちることはない。
【００１１】
さらに、書類を一定量まとめて抜き差しするときに、抜き出す紙葉類をロッド部分に移動させてから、それらの紙葉類を補助具と共に抜き出すようにすれば、抜き出した紙葉類の綴じ穴が位置ずれするのを防ぐことができる。抜き出した紙葉類を綴じ込むときには上記と逆の操作を行うだけで良いので、綴じ穴の位置合わせ作業に手間がかかる不便さを解消することができる。これにより、紙葉類を円滑に抜き差しすることができる。また、補助具をベース部に着脱可能に装着することで、補助具の紛失防止を図り、必要時にいつでも補助具を使用可能にすることができる。
【００１２】
前記リングとしては、前記ベース部の長手方向に間隔をおいて一対配置され、前記補助具は、前記各挿入口にそれぞれ挿入可能なロッド部分を一対備え、各ロッド部分の他端側がロッド連結部により連結されてコ形状に形成されていることが望ましい。
【００１３】
補助具のロッド部分は一つでも機能するが、一対とすることで、一対のロッド部分とロッド連結部とを一体化させて全体をコ形状とすることができる。従って、この補助具のロッド連結部によって紙葉類が抜け出ないように押さえたり、ロッド連結部側に紙葉類を移動させたりする際により安定な状態で操作することができる。多くの場合、この種の綴じ具は綴じ穴が２つ、あるいはそれ以上ある紙葉類を綴じるのに用いられるので、補助具のロッド部分も一対ある方が望ましい。
【００１４】
本発明において、前記ベース部は平面ほぼ矩形のベース本体と、そのベース本体を固定する固定プレートとを有し、その固定プレートとベース本体との間に、前記補助具の装着部が設けられている構成とすることもできる。このように構成すれば、補助具の紛失防止を図ることができるだけでなく、綴じ具の使用において邪魔にならない部分に補助具の収納場所を確保することができる。
【００１５】
ここで、以上のような構成の綴じ具は、表紙体の裏表紙の内面側に装備してファイリング用具として構成することが大変好適である。
【発明の効果】
【００１６】
本発明によれば、補助具の機能を必要時にのみ発揮できるように構成することで、余分な操作を無くして操作性を高めることができ、しかも、書類の抜き差し作業も円滑に行うことができ、さらに、補助具をベース部に着脱可能に装着することで、補助具の紛失防止を図ることができる綴じ具及びそれを備えたファイリング用具を得ることができる。
【発明を実施するための最良の形態】
【００１７】
以下、本発明の好適な実施の形態について、図面を参照して説明する。
図１は本発明の実施形態に係る綴じ具を備えたファイリング用具の斜視図である。図２は同実施形態に係る綴じ具を備えたファイリング用具の補助具の使用例を示す斜視図である。図３（ａ）、（ｂ）は同実施形態に係る固定プレートの平面図及び側面図である。図４は同実施形態に係る固定プレートの斜視図である。図５は同実施形態に係る綴じ具の平面図及び側面図である。図６は同実施形態に係る綴じ具のリング開閉時の正面図である。
【００１８】
この実施形態のファイリング用具は、図１に示すように、表紙体１の裏表紙１１の内面側に金属製の綴じ具２を備えている。表紙体１は厚紙や合成樹脂製シート等により形成されている。綴じ具２は、裏表紙１１にリベット等により固定した固定プレートと、その固定プレートの上に取り付けられる基板（ベース部）２１とを有している。
【００１９】
綴じ具２は、図２に示すような綴じ穴Ｓ１付きの紙葉類Ｓを抜き差し可能に綴じ込むものであって、ベース部２１と、ベース部２１に設けられ、紙葉類Ｓを綴じ込む閉リング姿勢と紙葉類Ｓを綴じ入れるために閉リングの一部を開放する開リング姿勢に変化し得るリング３０と、ベース部２１に設けられ、閉リング姿勢と開リング姿勢とを切り替えるための切替機構４０と、ベース部２１に着脱可能に装着される補助具９とを備えている。
【００２０】
リング３０は、先端どうしの接触により閉リング姿勢となり、先端どうしの離間により開リング姿勢となる第１リング部材３ａ及び第２リング部材３ｂを有している。リング３０は、正面から見て全体としてＤ形状に形成されている。第１リング部材３ａは直線状に形成され、第２リング部材３ｂは弧状に湾曲形成されている。そして、直線状の第１リング部材３ａの先端に挿入口３ｃが形成されている。この例では、第１リング部材３ａはパイプ形状になっている。
【００２１】
補助具９は、挿入口３ｃに対して一端側から挿入可能なロッド部分９１と、そのロッド部分９１の他端側に設けられた紙葉類抜け止め部９２とを有している。リング３０はベース部２１の長手方向に間隔をおいて一対配置されているため、補助具９も、各挿入口３ｃにそれぞれ挿入可能なロッド部分９１を一対備えている。そして、各ロッド部分９１の他端側がロッド連結部（紙葉類抜け止め部）９２により連結されてコ形状に形成されている。即ち、図示例の補助具９には金属棒をコ形状に曲げ形成したものが用いられている。この補助具９は金属に限らず、樹脂製とすることもできる。
【００２２】
ベース部２１は、平面ほぼ矩形のベース本体２ａと、そのベース本体２ａを固定する固定プレート２ｂとを備え、その固定プレート２ｂとベース本体２ａとの間に、補助具９の装着部５０が設けられている。この補助具９の装着部５０は、綴じ具２の使用において邪魔にならない部分に補助具９の収納場所を確保すると共に、補助具９の紛失防止を図るために設けたものである。
【００２３】
固定プレート２ｂは、ベース本体２ａと裏表紙１１との間に配置され、固定プレート２ｂが裏表紙１１に固定されている。ベース本体２ａは固定プレート２ｂに対して固定プレート２ｂの縁部分の曲げ加工部２ｅにより固定されている。固定プレート２ｂには、図３及び図４に示すように、ベース本体２ａ側への曲げ加工による段部２ｃが形成されている。この段部２ｃは、平面コの字形状であって、このコの字形状の両側辺部分が平面矩形状の固定プレート２ｂの二つの短辺部分にそれぞれ対応し、他の一辺が、固定プレート２ｂの一つの長辺部分に対応する形態の段部として形成されている。
【００２４】
固定プレート２ｂの残りの長辺部分の中央付近には、その長辺部分に沿って延びる帯状段部２ｇが形成されている。この帯状段部２ｇの高さもコの字形状の段部２ｃと同じ高さ
に形成されている。従って、これらの段部２ｃ、２ｇの表面は同一平面上に形成されている。これにより、ベース本体２ａの裏面が段部２ｃ、２ｇの表面に対して面接触する形態で重なるようになっている。そして、この重なり状態において、ベース本体２ａと固定プレート２ｂとの間におけるコの字形状の段部２ｃの周囲に、補助具９を装着する装着部５０が形成されている。
【００２５】
装着部５０には、補助具９をそこへ仮止めするための突起２ｆ、２ｆがそれぞれ設けられている。図示例では、両突起２ｆは固定プレート２ｂの表面のうち、二つの短辺部分と一つの長辺部分に近い表面に設けられている。これらの突起２ｆは固定プレート２ｂの絞り加工により形成されている。
【００２６】
補助具９のロッド部分９１、９１には、装着部５０の突起２ｆ、２ｆと対応する位置に、凸部９４、９４がそれぞれ設けられている。補助具９の装着時において、この凸部９４、９４と突起２ｆ、２ｆとがそれぞれ係合して、補助具９の脱落防止機能を発揮する。また、補助具９のロッド連結部９２には、装着部５０に装着された状態で利用する摘み用の湾曲部９５が設けられている。
【００２７】
固定プレート２ｂの中央部分には、舌辺状の切り起こし片２ｈが設けられている。この切り起こし片２ｈは、固定プレート２ｂ上にベース本体２ａが重ねられた状態で、ベース本体２ａの後述する開口部４ｈに進入させることで、固定プレート２ｂとベース本体２ａとを相対的に位置決めする機能を備えている。
【００２８】
図示例の切替機構４０は、操作レバー４ａと、抑えローラ４ｂと、リング３０が開く方向に附勢する板バネ４ｃとを含む。ベース本体２ａの中央部分には切り起こしによる支持片４ｄが設けられ、この支持片４ｄに操作レバー４ａの基部がヒンジ結合されている。抑えローラ４ｂは操作レバー４ａの基部近くに設けられている。なお、支持片４ｄを切り起こしたことで、開口部４ｈが形成されていて、この開口部４ｈ内に固定プレート２ｂの切り起こし片２ｈが挿入可能になっている。
【００２９】
一対の第２リング部材３ｂは一本の金属棒を曲げ加工して形成したもので、第２リング部材３ｂどうしの連続部３ｄを有している。連続部３ｄにはベース本体２ａの中央側へ曲げ形成された湾曲部３ｅが形成されている。連結部３ｄは軸受け部４ｆによりその軸回りに回動可能に拘束されている。そして、操作レバー４ａの操作によって、抑えローラ４ｂが湾曲部３ｅを押し下げることで、第２リング部材３ｂ、３ｂの自由端側を第１リング部材３ａ、３ａ側に回動させてリング３０を閉じることができるように設定されている。
【００３０】
この綴じ具２によれば、補助具９は第１リング部材３ａの挿入口３ｃに対して挿入可能なロッド部分９１と、ロッド連結部（紙葉類抜け止め部）９２とを有している。従って、例えば重ねられた紙葉類Ｓの中間部分で紙葉類を抜き差しする場合、切替機構４０を操作して開リング姿勢とした後、補助具９を利用して、そのロッド部分９１の一端を第１リング部材３ａの挿入口３ｃに挿入すれば、ロッド部分９１が第１リング部材３ａに接続された形態となるので、図２及び図６に示すように、このロッド部分９１にも紙葉類Ｓを移動させておくことが可能になる。ロッド部分９１の他端には紙葉類抜け止め部としてのロッド連結部９２があるので、紙葉類Ｓが抜け落ちることはない。これにより、紙葉類Ｓを円滑に抜き差しすることができる。
【００３１】
特に、紙葉類の出し入れ時に、紙葉類Ｓを第２リング部材３ｂ側へ移動させる必要がなくなるので、二つのリング３０を開いた状態のままで、何回でも紙葉類の出し入れ作業を行うことができる。
【００３２】
また、このように紙葉類Ｓを一定量まとめて抜き差しするときに、抜き出す紙葉類Ｓをロッド部分９１、９１に移動させてから、それらの紙葉類Ｓを補助具９と共に抜き出すことで、抜き出した紙葉類Ｓの綴じ穴Ｓ１が位置ずれするのを防ぐことができる。抜き出した紙葉類Ｓを綴じ込むときには、抜き出すときと逆の操作を行うだけで良いので、綴じ穴Ｓ１の位置合わせ作業を不要にすることができる。これらの結果、余分な操作を無くして操作性を高めることができ、しかも、書類の抜き差し作業も円滑に行うことができる。
【００３３】
補助具９を使用しないときには、図１及び図３に示すように、ベース本体２ａと固定プレート２ｂとの間におけるコの字形状の段部２ｃの周囲に設けた装着部５０に対し、補助具９を挿入して着脱可能に装着する。この補助具９の装着状態では、突起２ｆに凸部９４が係合するので、補助具９が不用意に外れて紛失したりすることはない。
【００３４】
また、このように装着部９に対する補助具９の装着状態では、補助具９全体がベース本体２ａの下に収まるので、操作レバー４ａを操作して紙葉類Ｓを出し入れする作業に邪魔にならないだけでなく、外観上の体裁も併せて良くすることができる。
【図面の簡単な説明】
【００３５】
【図１】本発明の実施形態に係る綴じ具を備えたファイリング用具の斜視図。
【図２】本発明の実施形態に係る綴じ具を備えたファイリング用具の斜視図。
【図３】本発明の実施形態に係る固定プレートを示すもので、（ａ）は平面図、（ｂ）は正面図。
【図４】本発明の実施形態に係る固定プレートの斜視図。
【図５】本発明の実施形態に係る綴じ具を示すもので、（ａ）は平面図、（ｂ）は側面図。
【図６】本発明の実施形態に係る綴じ具を示すもので、（ａ）はリングが閉リング姿勢にあるときの正面図、（ｂ）は開リング姿勢にあるときの正面図。
【符号の説明】
【００３６】
１  表紙体
１１  背表紙
２  綴じ具
２ａ  ベース本体
２ｂ  固定プレート
２ｃ  コの字形状の段部
２ｅ  曲げ加工部
２ｆ  突起
２ｇ  帯状の段部
２１  ベース部
３ａ  第１リング部材
３ｂ  第２リング部材
３ｃ  挿入口
３０  リング
４ａ  操作レバー
４ｈ  開口部
４０  切替機構
５０  装着部
９  補助具
９１  ロッド部分
９２  紙葉類抜け止め部
９４  凸部
９５  摘み部
Ｓ  紙葉類
Ｓ１  綴じ穴
【図１】
2007245455.tif 000003
【図２】
2007245455.tif 000004
【図３】
2007245455.tif 000005
【図４】
2007245455.tif 000006
【図５】
2007245455.tif 000007
【図６】
2007245455.tif 000008